(57)【要約】【課題】せん断荷重による支持力の低下を抑えることができるアンカ杭を提供する。【解決手段】先端側から地中に埋設されるアンカ部材３と、一端部がアンカ部材３の後端部に連結する延長ロッド５とを備え、アンカ部材３に連結した延長ロッド５の他端部をオーガ９によって延長ロッド５の軸周りに回転することでアンカ部材３が地中に埋設されるアンカ杭１であって、アンカ部材３は、軸心方向に向かって螺旋状に形成された第１掘削刃３２と、延長ロッド５が取り付けられる頭部３４とを有するものであり、延長ロッド５は、軸心方向に向かって螺旋状に形成された第２掘削刃５３と、頭部３４に連結する連結部５１とを有するものであり、頭部３４と連結部５１は、一方が他方に対して遊嵌した状態で連結され、オーガ９が回転することで両者は係合しオーガ９の駆動力を第１掘削刃３２に伝えるものである。【選択図】図２
2015068061.tif 000002
【特許請求の範囲】
【請求項１】
先端側から地中に埋設されるアンカ部材と、一端部が該アンカ部材の後端部に連結する延長ロッドとを備え、該アンカ部材に連結した延長ロッドの他端部を回転手段によって該延長ロッドの軸周りに回転することで該アンカ部材が地中に埋設されるアンカ杭であって、
前記アンカ部材は、軸心方向に向かって螺旋状に形成された第１掘削刃と、前記延長ロッドが取り付けられる頭部とを有するものであり、
前記延長ロッドは、軸心方向に向かって螺旋状に形成された第２掘削刃と、前記頭部に連結する連結部とを有するものであり、
前記頭部と前記連結部は、一方が他方に対して遊嵌した状態で連結され、前記回転手段が回転することで両者は係合し該回転手段の駆動力を前記第１掘削刃に伝えるものであることを特徴とするアンカ杭。
【請求項２】
前記頭部は、前記軸心方向に直交する直交方向に貫通する頭部貫通孔が形成された角柱状のものであり、
前記連結部は、前記頭部を収容可能な凹部を有し、前記直交方向に貫通する連結貫通孔が形成されたものであり、
前記頭部貫通孔および前記連結貫通孔の双方を貫通する抜止部材を備えたものであることを特徴とする請求項１記載のアンカ杭。
【請求項３】
前記第２掘削刃は、前記連結部に形成されたものであることを特徴とする請求項１または２記載のアンカ杭。
【発明の詳細な説明】
【技術分野】
【０００１】
本発明は、先端側から地中に埋設されるアンカ部材と、一端部がこのアンカ部材の後端部に連結する延長ロッドとを備えたアンカ杭に関する。
【背景技術】
【０００２】
太陽光発電設備等の建造物や電柱の支線等を支持する基礎として、アンカ杭が用いられる場合がある。このアンカ杭には、軸心方向に向かって螺旋状に形成された掘削刃を有し、先端側から地中に打ち込まれるものが知られている。このアンカ杭は、その他端部にオーガ等の回転機械が取り付けられ、この回転機械によってアンカ杭を軸周りに回転することで先端側から地中に打ち込まれる。
【０００３】
このようなアンカ杭が打ち込まれる地盤は、場所によってその硬軟が様々であり、同じアンカ杭を同じ深さまで打ち込んだ場合であっても、地盤の硬軟によって打ち込まれたアンカ杭の支持力が異なる。ここで、地盤の軟硬の程度を表わす指標としてＮ値が用いられる場合が多い。このＮ値は、ＪＩＳ  Ａ１２１９に示されるように、所定の測定具（サンプラー）を地中へ打ち込む際に生ずる地盤の抵抗から求められるものである。具体的には、７５ｃｍの高さから質量６３．５ｋｇ（約６２２．３Ｎ）のハンマーを、外径５．１ｃｍ、内径３．５ｃｍ、長さ８１．０ｃｍの中空の測定具に自由落下させ、その測定具を地中に３０ｃｍ打ち込むのに必要な打撃数Ｎから求められる。このＮ値は、地盤が軟弱であればあるほど、その値が小さくなるものであり、例えば、粘性土の場合、Ｎ値が４以下であると、一般的に軟弱な地盤といわれている。Ｎ値が４以下のような軟弱な地盤にアンカ杭を打ち込む場合に、Ｎ値が５以上のような軟弱でない地盤に打ち込まれたアンカ杭と同等の支持力を確保するためには、全長がより長いアンカ杭を用い、より深い地点までアンカ杭を埋設する必要がある。しかし、一体のアンカ杭は、全長が長くなればなるほど、その製造や運搬等が相対的に難しくなる。
【０００４】
このため、アンカ杭の全長を延長することができる別部材を備えたアンカ杭が提案されている（例えば、特許文献１等参照）。特許文献１に記載されたアンカ杭は、先端側から地中に埋設されるアンカ部材と、このアンカ部材の後端部に連結可能な延長ロッドとを備えている。アンカ部材は、軸心方向に向かって螺旋状に形成された掘削刃と、後端部に設けられた頭部とを有するものであり、この頭部にはネジ穴が形成されている。また、延長ロッドは、一端部にネジ部が形成され、他端部に頭部が設けられたものである。特許文献１に記載されたアンカ杭では、例えば、Ｎ値が４以下の軟弱な地盤の場合に、まず、延長ロッドのネジ部をアンカ部材のネジ穴にねじ込み、アンカ部材と延長ロッドとを一体的に連結することによって全長を長くする。次いで、延長ロッドの頭部に回転機械を取り付け、この回転機械によって延長ロッドを軸周りに回転することで、アンカ部材を地中のより深い地点まで埋設することができる。このように、特許文献１に記載されたアンカ杭によれば、例えば、Ｎ値が４以下のような軟弱な地盤にアンカ杭を打ち込む場合であっても、アンカ部材に延長ロッドを連結することによってアンカ部材をより深い地点まで埋設することができる。この結果、相対的に製造や運搬等が難しい、全長が長い一体のアンカ杭を用いる必要がなくなる。
【先行技術文献】
【特許文献】
【０００５】
【特許文献１】特開２０００−１８５０号公報
【発明の概要】
【発明が解決しようとする課題】
【０００６】
ここで、地中に打ち込まれたアンカ杭の後端部等にせん断荷重（軸心方向に交わる方向への荷重）がかかると、軸心方向に交わる方向の応力がアンカ杭の先端側に伝達される。アンカ杭の先端側に伝達される応力は、アンカ杭の全長が長くなればなるほど大きくなる。特許文献１に記載されたアンカ杭では、延長ロッドの頭部等にせん断荷重がかかると、その応力がアンカ部材の先端側に伝達され、アンカ部材の先端側の部分が動いて地盤を乱してしまう場合がある。この結果、アンカ杭の支持力が弱まってしまう恐れがある。
【０００７】
本発明は上記事情に鑑み、せん断荷重による支持力の低下を抑えることができるアンカ杭を提供することを目的とする。
【課題を解決するための手段】
【０００８】
上記目的を解決する本発明のアンカ杭は、先端側から地中に埋設されるアンカ部材と、一端部が該アンカ部材の後端部に連結する延長ロッドとを備え、該アンカ部材に連結した延長ロッドの他端部を回転手段によって該延長ロッドの軸周りに回転することで該アンカ部材が地中に埋設されるアンカ杭において、
前記アンカ部材は、軸心方向に向かって螺旋状に形成された第１掘削刃を有するものであり、
前記延長ロッドは、軸心方向に向かって螺旋状に形成された第２掘削刃を有するものであり、
前記後端部と前記一端部は、一方が他方に対して遊嵌した状態で連結され、前記回転手段が回転することで両者は係合し該回転手段の駆動力を前記第１掘削刃に伝えるものであることを特徴とする。
【０００９】
本発明のアンカ杭によれば、前記頭部と前記連結部は、一方が他方に対して遊嵌した状態で連結されるものであるため、前記延長ロッドにせん断荷重がかかった場合に、前記軸心方向に交わる方向への応力が前記アンカ部材に伝達し難い。さらに、前記延長ロッドは、軸心方向に向かって螺旋状に形成された前記第２掘削刃を有するものであるため、該延長ロッドにせん断荷重がかかった場合に、該延長ロッド自身の動きを抑えることができる。これらの結果、前記延長ロッドにせん断荷重がかかった場合であっても前記アンカ部材が動き難く地盤を乱すことが少なくなり、前記アンカ杭の支持力の低下を抑えることができる。また、前記頭部と前記連結部は、前記回転手段が回転することで両者は係合し該回転手段の駆動力を前記第１掘削刃に伝えることができる。すなわち、前記頭部と前記連結部の連結構造は、前記回転手段の駆動力は伝達する一方で、前記軸心方向に交わる方向への応力を逃がす構造である。
【００１０】
ここで、前記第１掘削刃は、前記軸心方向に間隔をあけて複数設けられたものであってもよく、これら複数の第１掘削刃は、前記アンカ部材の前記先端側から前記後端側に向かうにつれて徐々に径が大きくなるものであってもよい。また、前記第２掘削刃は、前記第１掘削刃の最大径以上の径を有するものであってもよい。
【００１１】
さらに、前記アンカ部材は、前記頭部に前記回転手段が取り付けられ、該回転手段によって軸周りに回転することで地中に打ち込まれるものであってもよい。また、前記アンカ部材は、超硬チップ等を有する下穴用工具によって岩盤等の硬い地盤に形成した下穴に打ち込まれるものであってもよい。
【００１２】
また、前記延長ロッドの他端部に別の延長ロッドの一端部を連結し、この別の延長ロッドの他端部に回転手段を取り付け、該回転手段によって別の延長ロッドを軸周りに回転することで該アンカ部材を地中に埋設してもよい。なお、別の延長ロッドを、２つ以上連結するものであってもよい。
【００１３】
また、本発明のアンカ杭において、前記後端部は、前記軸心方向に直交する直交方向に貫通する第１貫通孔が形成された角柱状のものであり、
前記一端部は、前記後端部を収容可能な凹部を有し、前記直交方向に貫通する第２貫通孔が形成されたものであり、
前記第１貫通孔および前記第２貫通孔の双方を貫通する抜止部材を備えたものであってもよい。
【００１４】
こうすることで、前記頭部と前記連結部の連結構造を単純にできる。また、抜止部材を備えたものであるため、前記回転手段に前記アンカ杭を取り付けた際や該アンカ杭を地中から引き抜く際に、前記アンカ部材が前記延長ロッドから抜けてしまうことを防ぐことができる。
【００１５】
さらに、本発明のアンカ杭において、前記第２掘削刃は、前記連結部に形成されたものであることが好ましい。
【００１６】
こうすることで、前記アンカ部材が地中に埋設された状態において、前記延長ロッドの前記連結部が安定してより動き難くなり、前記延長ロッドにせん断荷重がかかった場合に、前記軸心方向に交わる方向への応力が前記アンカ部材に対してより伝達し難くなる。
【発明の効果】
【００１７】
本発明によれば、せん断荷重による支持力の低下を抑えることができるアンカ杭を提供することができる。
【図面の簡単な説明】
【００１８】
【図１】（ａ）は、本発明の実施形態であるアンカ杭を分解して示す図であり、（ｂ）は、（ａ）に示す延長ロッドを下方から見た図である。
【図２】（ａ）は、図１（ａ）に示す、アンカ部材と延長ロッドが連結された状態のアンカ杭に回転手段を取り付ける様子を示す図であり、（ｂ）は、（ａ）のＡ−Ａ断面図である。
【図３】（ａ）は、アンカ部材と連結ロッドの組合せを説明するための図であり、（ｂ）は、複数の延長ロッドを用いる態様を説明するための図である。
【発明を実施するための形態】
【００１９】
以下、図面を参照して本発明の実施の形態を説明する。
【００２０】
図１（ａ）は、本発明の実施形態であるアンカ杭を分解して示す図である。
【００２１】
アンカ杭１は、地中に打ち込まれ、太陽光発電設備等の建造物や電柱の支線等を支持するものである。特に、アンカ杭１は、Ｎ値が４以下のような軟弱な地盤において、深い地点まで打ち込む必要がある場合に好適に用いられるものである。
【００２２】
図１（ａ）に示すように、アンカ杭１は、アンカ部材３と、延長ロッド５とを備えている。同図（ａ）では、上下方向が、アンカ部材３および延長ロッド５それぞれにおける、軸心方向になる。
【００２３】
アンカ部材３は、鋳造等によって一体に製造されたものであり、図１（ａ）において、アンカ部材３の下端が、アンカ部材３の先端になり、アンカ部材３の上端が、アンカ部材３の後端になる。図１（ａ）に示すように、アンカ部材３は、先端から後端にかけて記載順に形成された、軸部３１と、鍔部３３と、頭部３４とを有している。また、軸部３１には、複数の第１掘削刃３２が形成されている。軸部３１は、先端から後端に向かうにしたがいやや径が大きくなる略円錐形のものであり、先端部分にドリル部３１１が形成されている。複数の第１掘削刃３２それぞれは、軸心方向に向かって螺旋状に形成されたものである。本実施形態では、４つの第１掘削刃３２が形成され、これら複数の第１掘削刃３２は、軸部３１における先端側の略半分に、軸心方向に所定の間隔をあけて形成されている。複数の第１掘削刃３２は、最も先端側に形成された第１掘削刃３２から最も後端側に形成された第１掘削刃３２にかけて、その径が徐々に大きくなるように形成され、最も後端側に形成された第１掘削刃３２の径が最大になっている。なお、複数の第１掘削刃３２を軸心方向に連続させて１つの第１掘削刃３２としてもよく、また、軸部３１における軸心方向の全体に、１または複数の第１掘削刃３２を形成してもよい。
【００２４】
鍔部３３は、円盤状のものであり、軸部３１の後端部分に形成されている。頭部３４は、四角柱状のものであり、鍔部３３から後端側に延在した状態に形成されている。この頭部３４には、軸心方向に直交する方向に貫通する頭部貫通孔３４ａが形成されている。頭部貫通孔３４ａは、軸心方向に延在した長孔に形成されている。以下、軸心方向に直交する方向を、直交方向と称することがある。なお、頭部３４は、四角柱状のものに限らず、三角柱状、あるいは五角以上の角柱状のものであってもよい。また、鍔部３３は、多角形の板状のものであってもよく、さらに、アンカ部材３は、鍔部３３を有しないものであってもよい。なお、本実施形態のアンカ部材３は、延長ロッド５を連結せず単独でもアンカ杭として使用できるものである。例えば、アンカ部材３を、Ｎ値が５以上の地盤に打ち込むアンカ杭として使用してもよいし、岩盤等の硬い地盤において、超硬チップ等を有した下穴用工具によって形成した下穴に打ち込むアンカ杭として使用してもよい。
【００２５】
延長ロッド５も、アンカ部材３と同様に、鋳造等によって一体に製造されたものである。図１（ａ）の延長ロッド５では、その下端部が、本発明でいう、一端部に相当し、その上端部が、本発明でいう、他端部に相当する。
【００２６】
図１（ａ）に示すように、延長ロッド５は、一端から他端にかけて記載順に形成された、連結部５１と、柱状部５２と、第２鍔部５４と、第２頭部５５とを有している。連結部５１には、第２掘削刃５３が形成されている。
【００２７】
図１（ｂ）は、同図（ａ）に示す延長ロッド５を下方から見た図である。同図（ａ）および同図（ｂ）に示すように、連結部５１は、延長ロッド５の一端部分を構成するものであり、一端側に開放した、凹部５１１と第２凹部５１２が形成されている。凹部５１１は、アンカ部材３における頭部３４の外形形状よりもやや大きい直方体状の空間が形成され、アンカ部材３の頭部３４が収容されるものである。第２凹部５１２は、アンカ部材３における鍔部３３の外形形状よりもやや大きい円盤状の空間が形成され、アンカ部材３の鍔部３３が収容されるものである。また、連結部５１には、直交方向に貫通する一対の連結貫通孔５１ａが形成されている。
【００２８】
第２掘削刃５３は、連結部５１の、連結貫通孔５１ａが形成された部分よりも一端側に形成されている。また、第２掘削刃５３は、軸心方向に向かって螺旋状に形成されたものであり、アンカ部材３の複数の第１掘削刃３２のうち、最も後端側に形成された、最大径の第１掘削刃３２の径よりも大きい径を有している。
【００２９】
柱状部５２は、連結部５１から軸心方向に延在した円柱状のものである。第２鍔部５４は、柱状部５２の他端側に形成され、第２頭部５５は、第２鍔部５４から他端側に延在したものである。第２頭部５５には、直交方向に貫通する第２頭部貫通孔５５ａが形成されている。本実施形態では、第２鍔部５４は、アンカ部材３の鍔部３３と略同じ形状に形成され、第２頭部５５は、アンカ部材３の頭部３４と略同じ形状に形成されている。
【００３０】
アンカ部材３と延長ロッド５は、アンカ部材３の頭部３４が延長ロッド５の凹部５１１に収容され、アンカ部材３の鍔部３４が延長ロッド５の第２凹部５１２に収容された状態で連結される。上述したように、凹部５１１は、頭部３４の外形形状よりもやや大きい空間が形成されたものである。このため、頭部３４が凹部５１１に収容されると、頭部３４と凹部５１１との間に隙間が生じ、頭部３４が凹部５１１に遊嵌した状態になる。また、第２凹部５１２は、鍔部３３の外形形状よりもやや大きい空間が形成されたものであるため、鍔部３３が第２凹部５１２に収容されると、鍔部３３と第２凹部５１２との間にも隙間が生じた状態になる。頭部３４と凹部５１１との連結構造は、後に詳述する。次いで、抜止ボルト７１を、頭部貫通孔３４ａと連結貫通孔５１ａの双方に貫通させ、抜止ボルト７１に抜止ナット７２を取り付けることによって、延長ロッド５からアンカ部材３が抜けてしまうことが防止される。すなわち、抜止ボルト７１が、本発明にいう抜止部材に相当する。
【００３１】
図２を用いて、アンカ部材３に連結した延長ロッド５の第２頭部５５（他端部）を回転手段によって延長ロッド５の軸周りに回転することでアンカ部材３を地中に埋設する態様について説明する。
【００３２】
図２（ａ）は、図１（ａ）に示す、アンカ部材と延長ロッドが連結された状態のアンカ杭に回転手段を取り付ける様子を示す図である。図２（ｂ）は、同図（ａ）のＡ−Ａ断面図である。同図（ａ）では、上下方向が軸心方向になり、同図（ｂ）では、紙面と直交する方向が軸心方向になる。
【００３３】
図２（ａ）に示すように、アンカ杭１は、建柱車等のオーガ９に、延長ロッド５の第２頭部５５が取り付けられる。オーガ９は、本発明にいう回転手段に相当し、下端側に矩形状に開放した開口９ａが形成された筒状のものである。オーガ９の下端側部分には、直交方向に貫通する、一対のオーガ貫通孔９ｂが形成されている。オーガ９にアンカ杭１を取り付けるには、まず、延長ロッド５の第２頭部５５をオーガ９の開口９ａに挿入する。次いで、取付ボルト９１をオーガ貫通孔９ｂと第２頭部貫通孔５５ａの双方に挿通し、取付ボルト９１に取付ナット９２を取り付けることによって、オーガ９に延長ロッド５の第２頭部５５が取り付けられる。なお、アンカ部材３と延長ロッド５とを連結する前に延長ロッド５をオーガ９に取り付け、オーガ９に取り付けられた延長ロッド５にアンカ部材３を連結してもよい。
【００３４】
オーガ９にアンカ杭１を取り付けた後、オーガ９によって延長ロッド５を回転させつつ地中に圧入させることで、アンカ杭１が地中に打ち込まれ、アンカ部材３が地中に埋設される。アンカ杭１は、例えば、延長ロッド５の第２鍔部５４の上面が地面と同じ高さになるまで打ち込まれる。地中に打ち込まれたアンカ杭１は、例えば、第２頭部５５や第２鍔部５４に、太陽光発電設備の架台等が支持され、あるいは、第２頭部５５に、電柱を支持する支線等が取り付けられる。本実施形態のアンカ杭１によれば、延長ロッド５を連結した分、アンカ部材３を深い地点まで埋設することができる。これによって、第１掘削刃３２に、より土圧がかかり、Ｎ値が４以下のような軟弱な地盤であっても、アンカ杭１に十分な支持力を持たせることが可能になる。また、アンカ杭１を、アンカ部材３と延長ロッド５とを連結することで形成しているため、アンカ杭を一体に製造する場合に比べ、その製造や運搬等が容易になる。なお、アンカ杭１を地中に打ち込む方法として、延長ロッド５とアンカ部材３とを連結する前に、アンカ部材３だけを地中に打ち込んでもよい。具体的には、まず、オーガ９にアンカ部材３の頭部３４に取り付け、オーガ９によってアンカ部材３を軸周りに回転することで、アンカ部材３を地中に打ち込む。次いで、オーガ９をアンカ部材３から取り外し、打ち込まれたアンカ部材３に延長ロッド５を連結した後、オーガ９を延長ロッド５の第２頭部５５に取り付けてアンカ杭１を地中に打ち込むこともできる。
【００３５】
次に、図２（ｂ）を用いて、アンカ部材３の頭部３４と延長ロッド５の凹部５１１との連結構造について詳細に説明する。オーガ９によって、延長ロッド５が軸周りに回転するまでは、頭部３４が凹部５１１に対して遊嵌した状態で連結し、図２（ｂ）に実線で示す連結部５１の凹部５１１と、頭部３４との間には隙間Ｃが生じている。なお、図２（ｂ）では、説明の便宜上、凹部５１１の中心に頭部３４が位置し、頭部３４の周囲に略同じ間隔で生じた隙間Ｃを示しているが、頭部３４の軸心位置が凹部５１１の中心からずれ、頭部３４の周囲に生じる隙間Ｃの間隔が不均一になっている場合も多い。オーガ９によって延長ロッド５１を軸周りに回転（図の時計回りの矢印参照）すると、一点鎖線で示すように、連結部５１の凹部５１１が頭部３４の外周に当接し、頭部３４と連結部５１が係合した状態になる。頭部３４と連結部５１が係合した状態でオーガ９の駆動を続けると、延長ロッド５の回転に伴いアンカ部材３が回転し、オーガ９の駆動力が第１掘削刃３２に伝わり、アンカ杭１が地中に打ち込まれるとともに、アンカ部材３は、先端のドリル部３１１から地中に埋設される。
【００３６】
アンカ杭１の打ち込みが完了した後、延長ロッド５の第２頭部５５からオーガ９が取り外されると、延長ロッド５にかかっていた、オーガ９の駆動力が解除される。オーガ９の駆動力が解除されると、頭部３４と連結部５１との係合も解除され、頭部３４と連結部５１とは遊嵌した状態に戻る。このため、地中に打ち込まれたアンカ杭１の第２頭部５５にせん断荷重がかかっても、頭部３４と凹部５１１との連結構造によって、軸心方向に交わる方向の応力が延長ロッド５からアンカ部材３に伝わり難い。すなわち、頭部３４と連結部５１の連結構造は、オーガ９の駆動力は伝達する一方で、軸心方向に交わる方向への応力を逃がす構造である。これにより、第２頭部５５等にせん断荷重がかかってもアンカ部材３が動き難くなるためアンカ部材３の周囲の地盤を乱すことが少なくなり、せん断荷重による、アンカ杭１の支持力の低下を抑えることができる。さらに、連結部５１には第２掘削刃５３が形成されているため、第２頭部５５等にせん断荷重がかかっても、延長ロッド５が動き難くなり、この結果、アンカ部材３も動き難くなって、アンカ杭１の支持力の低下がさらに抑えられる。また、延長ロッド５が動き難くなることによって、アンカ杭１に支持される建造物等を安定させることもできる。なお、第２掘削刃５３は、延長ロッド５の支柱部５２に形成してもよいが、延長ロッド５を動き難くする点で、連結部５１に形成することが好ましい。また、連結部５１は、凹部５１１が形成され、支柱部５２よりも大径に形成されている。このため、アンカ杭１を地中に打ち込む際に、支柱部５２に比べて連結部５１にかかる抵抗が大きくなる。本実施形態では、連結部５１に第２掘削刃５３を形成しているため、抵抗が大きくなってしまう連結部５１を、スムーズに地中に埋設することができる。なお、第２掘削刃５３は、連結部５１のうちでも、連結貫通孔５１ａよりも一端側に形成するとより好ましい。
【００３７】
アンカ杭１は、柱状部５２の長さが異なる延長ロッドや、全長の異なるアンカ部材３を用いることによって、アンカ部材３の埋設深さを調整することができる。図３（ａ）は、アンカ部材と連結ロッドの組合せを説明するための図である。
【００３８】
図３（ａ）に示すように、延長ロッドには、上述した延長ロッド５と、この延長ロッド５に比べて、柱状部５２の長さが短い延長ロッド５’と、柱状部５２の長さが長い延長ロッド５’’が用意されている。延長ロッド５’は、第２掘削刃５３が、柱状部５２に形成されている。また、延長ロッド５’’は、連結部５１に形成された第２掘削刃５３に加えて、この第２掘削刃５３よりも径が大きい第２掘削刃５３が柱状部５２に形成されている。アンカ部材３には、上述したアンカ部材３と、このアンカ部材３に比べて軸部３１の長さが長いアンカ部材３’が用意されている。地盤の硬軟に応じて、３つの延長ロッド５，５’，５’’から選択した延長ロッドと、２つのアンカ部材３，３’から選択したアンカ部材を組み合せることによって、アンカ部材を埋設する深さを調整することができる。
【００３９】
また、アンカ杭１は、複数の延長ロッドを連結することによって、アンカ部材３の埋設深さを調整することができる。図３（ｂ）は、複数の延長ロッドを用いる態様を説明するための図である。
【００４０】
図３（ｂ）に示すように、アンカ杭３の頭部３４に延長ロッド５の連結部５１を連結し、この延長ロッド５の第２頭部５５に、別の延長ロッド５の連結部５１を連結してもよい。このように、延長ロッド５を複数連結することによって、さらに深い地点までアンカ杭３を埋設することができる。また、上述したように、延長ロッド５の第２頭部５５は、アンカ杭３の頭部３４と略同じ形状に形成されているため、延長ロッド５の第２頭部５５と別の延長ロッド５の連結部５１との連結構造も、図２（ｂ）に示す、頭部３４と連結部５１との連結構造と同様に遊嵌した状態になる。この結果、延長ロッド５に連結した延長ロッド５の第２頭部５５にせん断荷重がかかった場合、第２頭部５５と連結部５１との連結構造においても、軸心方向に交わる方向への応力を逃すことができる。このため、頭部３４と連結部５１との連結構造と第２頭部５５と連結部５１との連結構造の双方において、軸心方向に交わる方向への応力を逃すことができ、アンカ杭３に、軸心方向に交わる方向への応力がより伝わり難くなり、せん断力によるアンカ杭３の支持力の低下をより抑えることが可能になる。なお、延長ロッド５に連結する延長ロッドに、図３（ａ）に示す、延長ロッド５’や延長ロッド５’’を用いてもよい。
【００４１】
本発明は上述の実施の形態に限られることなく特許請求の範囲に記載した範囲で種々の変更を行うことが出来る。例えば、本実施形態では、延長ロッド５の連結部５１は、アンカ部材３の鍔部３３を収容する第２凹部５１２を有しているが、連結部５１は、第２凹部５１２を有さず、凹部５１１によって頭部３４の全部あるいは頭部３４の一部を収容するものであってもよい。
【００４２】
なお、以上説明した各変形例の記載それぞれにのみ含まれている構成要件であっても、その構成要件を他の変形例に適用してもよい。
【００４３】
また、先端側から地中に埋設されるアンカ部材と、一端部が該アンカ部材の後端部に連結する延長ロッドとを備え、該アンカ部材に連結した延長ロッドの他端部に回転手段を取り付け、該回転手段によって該延長ロッドを軸周りに回転することで該アンカ部材が地中に埋設されるアンカ杭であって、
前記アンカ部材は、軸心方向に向かって螺旋状に形成された第１掘削刃と、前記延長ロッドが取り付けられる頭部とを有するものであり、
前記延長ロッドは、前記頭部に連結する連結部を有するものであり、
前記頭部と前記連結部は、一方が他方に対して遊嵌した状態で連結され、前記回転手段が回転することで両者は係合し該回転手段の駆動力を前記第１掘削刃に伝えるものであってもよい。
【符号の説明】
【００４４】
１  アンカ杭
３  アンカ部材
３１  第１掘削刃
３４  頭部
３４ａ  頭部貫通孔
５  延長ロッド
５１  連結部
５１１  凹部
５１ａ  連結貫通孔
５３  第２掘削刃
７１  抜止ボルト
９  オーガ
【図１】
2015068061.tif 000003
【図２】
2015068061.tif 000004
【図３】
2015068061.tif 000005